(57)【要約】【課題】仮止めナットのボルトに対する着脱を容易に行えるようにする。この仮止めナットを用いることで、作業員の手が入らず、治具が使用出来ない場合においてもパネル表面側からの締結作業のみで建物躯体にパネルを取り付け得るようにする。【解決手段】仮止めナットＡは、板状の本体１の所定位置に先端がボルト１０のネジ山と係合して係止する複数の爪２を設け、且つ該本体１にネジ山の外径よりも大きい径を持った通孔４を設けて複数の爪２の間にくびれ部５を介して連通させる。パネル取付構造は、建物の躯体の所定位置に設けられた取付穴２１ａと、取付穴２１ａに装着されて回転したとき回転を阻止される板状片１１と、板状片１１に形成された穴１１ａに回転不能に挿通されるボルト１０と、仮止めナットＡとを有し、板状片１１にボルト１０を回転不能に挿通すると共に、ネジ部に仮止めナットＡを装着して取付穴２１ａに取り付けておき、ボルト１０に壁パネル２３の貫通穴を嵌合してナット１２を締結する。【選択図】      図５
2004278680.tif 000002
【特許請求の範囲】
【請求項１】
板状の本体の所定位置に先端がボルトのネジ山と係合して係止する複数の爪を設け、且つ板状の本体又は本体から爪にかけてボルトのネジ山の外径よりも大きい径を持った通孔を設けると共に該通孔を前記複数の爪の間に連通させ且つ前記連通部の寸法はボルトのネジ山の外径と同じか小さいことを特徴とする仮止めナット。
【請求項２】
前記本体の外周所定位置に操作片を設けたことを特徴とする仮止めナット。
【請求項３】
建物の躯体又は躯体に取り付けられた取付部材の所定位置に設けられた取付穴と、前記取付穴に装着されて回転したとき端部が躯体の一部に当接して回転を阻止される板状片と、前記板状片に形成された穴に対し回転不能に挿通されるボルトと、請求項１又は２に記載した仮止めナットとを有し、前記板状片の穴にボルトを回転不能に挿通すると共に該ボルトのネジ部に仮止めナットを装着して該ボルト及び板状片を躯体の所定位置に設けた取付穴に取り付けておき、前記ボルトに壁パネルの貫通穴を嵌合すると共に表面側から前記ボルトにナットを締結して該壁パネルを躯体に取り付けることを特徴とするパネル取付構造。
【発明の詳細な説明】
【０００１】
【発明の属する技術分野】
本発明は、部材の取り付けに先立って配置したボルトを、落下を防止して取付位置を保持させるための仮止めナットと、この仮止めナットを利用して建物の躯体に壁パネルを取り付けるパネル取付構造とに関するものである。
【０００２】
【従来の技術】
予め部材の取り付けに先立って目的の部位に配置したボルトが落下することなく配置位置を保持し得るように、ボルトのネジ部に仮止めナット或いはプッシュナットを嵌め込むことが行われている。
【０００３】
プッシュナットとしては、図９に示すように、円形に形成された板５１の所定位置（略中央）に複数の爪５２が形成されると共に、対向する爪５２の間隔が適用すべきボルトのネジ山の寸法に対応して形成されている。特に、爪５２は、予め片側の面外方向に屈折した状態で形成されたものや、同一面内になるように形成されたものがあり、何れの場合でも対向する側の端部５２ａ（先端部分）が自由端となる片持ち梁状に形成され、更に、材料としてバネ鋼を利用することで、爪５２が高いバネ性を発揮し得るように構成されたものがある（例えば特許文献１参照）。
【０００４】
上記プッシュナットは、複数の爪５２の間にボルトを嵌合して該仮止めナットをボルト頭部側に移動させて、ボルト頭部と仮止めナットとによってボルトを挿通した部材を挟むことで、該ボルトの落下を防止して予め設定された取付部位に保持し得るように構成されている。また外形は円形に限定されることなく、長方形や正方形を含む多角形状のものも提供されている。
【０００５】
また軽量気泡コンクリートパネル（ＡＬＣパネル）等からなる小壁等の壁パネルを建物躯体側の支持金具に取り付ける場合、取付用の金具と壁パネルを、該壁パネルを貫通させたボルトで止め付けることによって、支持金具を壁パネルと取付金具とによって挟み込むように固定するのが一般的である。
【０００６】
【特許文献１】
特開２０００−１９２９３３号公報
【０００７】
【発明が解決しようとする課題】
小壁を構成する壁パネルを建物躯体に取り付ける際にボルトとナットとで固定する場合、特に、該壁パネルの上端側に配置されるボルトを締結するとき、建物躯体の屋内側の面に作業員の手が入らないのが一般的であり、壁パネルの表面側からタッピングボルトを貫通させて固定する必要がある。この場合、タッピングボルトが躯体の一点にねじ込まれるため、取り付けた壁パネルの位置を調整することは出来ないという問題が生じる。
【０００８】
上記問題を解決するためには、予め建物躯体の所定位置に、取付位置を調整し得るように構成したボルトを装着しておくことが好ましい。しかし、ボルトの脱落を防止するために上記プッシュナットを利用した場合、該プッシュナットをボルトに装着する際に、爪がネジ山を引っ掛けた状態で、ボルトに於けるネジの先端側からボルト頭部側にかけて移動させなければならず、個々の爪がネジ山を通過する都度、該爪が変形することとなり、作業の際には思いがけない力が必要となるという問題がある。
【０００９】
また予め仮止めナットが装着されて保持されているボルトを異なる位置に変更させるような必要が生じたとき、ネジ部に装着された仮止めナットを取り外すことが必要となるが、このときの作業は、爪の先端がネジ山に引っかかることにより装着時の作業以上に大変な作業となるという問題がある。
【００１０】
ボルトに対する装着作業を容易に行うために、板の一部を切断して全体の形状をＣ字型にしたものも提供されているが、この形状では、ボルトに対する装着作業時に変形して切断された部位が拡がってしまい、この変形に起因して充分な保持をなし得ないという問題が生じる。
【００１１】
特に、鉄骨造の住宅に於ける壁パネルを取り付けるために躯体に複数のボルトを配置すると共に個々のボルトに仮止めナットを装着するような場合、ボルトの本数が多いため楽な作業とはいえず、また予め躯体に仮止めナットを利用して取り付けてあるボルトを取り外すような場合、該ボルトから仮止めナットを取り外す作業は容易であるとはいえない。
【００１２】
本発明の目的は、ボルトに装着する作業或いは取り外す作業を容易に行うことが出来る仮止めナットを提供し、合わせてこの仮止めナットを用いることで、建物躯体の板状片側に手が入らず、治具が使用出来ない場合においてもパネル表面側からの締結作業のみで建物躯体にパネルを取り付けることが出来、更にはパネルを全て設置した後でも容易に個々のパネルの位置調整を行うことが出来るパネル取付構造を提供することにある。
【００１３】
【課題を解決するための手段】
上記課題を解決するために本発明に係る仮止めナットは、板状の本体の所定位置に先端がボルトのネジ山と係合して係止する複数の爪を設け、且つ板状の本体又は本体から爪にかけてボルトのネジ山の外径よりも大きい径を持った通孔を設けると共に該通孔を前記複数の爪の間に連通させ且つ前記連通部の寸法はボルトのネジ山の外径と同じか小さいように構成したものである。
【００１４】
上記仮止めナットでは、板状の本体又は本体から爪にかけてボルトのネジ山の外径よりも大きい径を持った通孔を設けたので、該仮止めナットをボルトに装着する際にはネジ部を通孔に挿通することで、ネジ山に爪が係合することがなく容易に且つ円滑にネジ山に沿って移動させることが出来る。
【００１５】
また板状の本体の所定位置に先端がボルトのネジ山を係止する複数の爪を設け、この爪の間にボルトのネジ山の外径と同じか小さい寸法で通孔を連通させたので、仮止めナットがボルトの長さ方向の目的位置に到達したとき、本体をボルトの軸を横断する方向（面内方向）に移動させることでネジ山を通孔側から爪側に移動させ、これにより、爪をネジ山に係合させて係合させてボルトを仮止めすることが出来る。
【００１６】
またボルトに装着した仮止めナットを取り外す必要があるときは、本体を面内方向に移動させて、爪に係合して形成されているネジ部を通孔側へ移動させると、爪によるネジ山の係合が解除される。従って、仮止めナットをネジ部に沿って引き抜くことで、仮止めナットをボルトから離脱させることが出来る。
【００１７】
上記仮止めナットに於いて、本体の外周所定位置に操作片を設けることが好ましい。仮止めナットをこのように構成することで、板状の本体を面内方向に移動させて、爪をネジ山に係合させ或いは係合している爪を離脱させる際に、本体の外周に設けられた操作片に、本体を移動させるべき方向の力を加えることで、容易に移動させることが出来る。
【００１８】
また本発明に係るパネル取付構造は、建物の躯体又は躯体に取り付けられた取付部材の所定位置に設けられた取付穴と、前記取付穴に装着されて回転したとき端部が躯体の一部に当接して回転を阻止される板状片と、前記板状片に形成された穴に対し回転不能に挿通されるボルトと、請求項１又は２に記載した仮止めナットとを有し、前記板状片の穴にボルトを回転不能に挿通すると共に該ボルトのネジ部に仮止めナットを装着して該ボルト及び板状片を躯体の所定位置に設けた取付穴に取り付けておき、前記ボルトに壁パネルの貫通穴を嵌合すると共に表面側から前記ボルトにナットを締結して該壁パネルを躯体に取り付けるものである。
【００１９】
上記パネル取付構造では、予め建物躯体の所定位置に取付穴を形成しておき、また前記取付穴に於ける何れかの位置を中心として回転したとき、端部が躯体の一部に当接して回転を阻止されるように形成された板状片を用意し、この板状片に設けられた穴にボルトのネジ部を挿通して両者を互いに回転不能に構成し、更に、板状片に挿通したボルトを建物躯体に設けた取付穴に挿通すると共にネジ部に上記の如く構成された仮止めナットを装着することで、該ボルト及び板状片を建物躯体の所定位置に取り付けておくことが出来る。このため、壁パネルに形成された貫通穴に前記ボルトを嵌合すると共に該壁パネルの表面側からナットを締結することで、壁パネルを建物躯体に取り付けることが出来る。
【００２０】
上記の如く、壁パネルの貫通穴に対応する部位に於ける建物躯体に設けた取付穴にボルトを挿通し、ネジ部の先端側から仮止めナットを装着し、該仮止めナットが躯体に到着したとき、通孔にあるネジ部を爪側に移動するように仮止めナットを操作して仮止めナットの爪をネジ部のネジ山に係合させることで、仮止めナットの本体とボルトを回転不能に挿通した板状片とによって建物躯体を挟み込むことが出来、且つボルトがネジ部に沿って軸方向に動くことがない。従って、建物躯体に取り付けられたボルトが落下することがなく、該建物躯体の屋内側に手が入らないような場合であっても、確実に壁パネルの貫通穴にボルトを嵌合させて取り付けることが出来る。
【００２１】
更に、建物躯体の所定位置に設けた取付穴の形状を適宜設定することによって、該取付穴に挿通されたボルトはこの穴の形状の全範囲を自由に移動することが出来るため、該ボルトを壁パネルの貫通穴に貫通させた後、該壁パネルを上下左右に動かして取付位置を調整する際に、容易に且つ円滑に追従することが出来る。即ち、壁パネルの取付位置の調整を円滑に行うことが出来る。
【００２２】
【発明の実施の形態】
図により本発明に係る仮止めナットの実施形態と、パネル取付構造の一実施形態を具体的に説明する。図１は仮止めナットの構成を説明する図である。図２は仮止めナットの他の例を説明する図である。図３は仮止めナットをボルトに装着する際の手順を説明する図である。図４はボルトに装着されている仮止めナットを取り外す際の手順を説明する図である。図５は壁パネルの取付構造を説明する図である。図６は回り止めを考慮したボルトを説明する図である。図７は建物躯体の板状片に壁パネルを取り付ける際の手順を説明する図である。図８は柱にコーナーパネルを取り付ける際の構造を説明する展開図である。
【００２３】
先ず、図１により本発明に係る仮止めナットＡの構成について説明する。図に示す仮止めナットＡは、円板状の本体１の中央に複数の爪２が形成されており、個々の爪２は本体１の一方側の面に向けて屈折して構成されている。
【００２４】
複数の爪２の先端２ａを連続して形成される円３は、直径ａ（屈折した状態に於ける対向する爪２の先端２ａの距離）が装着すべきボルトのネジ部の山部の径ｃよりも小さく、且つネジ部の谷部の径よりも大きい寸法を持って形成されている。
【００２５】
円３と連通して直径ｂが装着すべきボルトのネジ部の外径ｃよりも大きい寸法を有する通孔４が形成され、両者の連通部にくびれ部５が形成されている。くびれ部５の寸法ｄは、円３の径ａよりも小さいことが好ましいが、小さすぎると仮止めナットＡの装着時或いは取り外し時に大きい力が必要となる。従って、くびれ部５の寸法ｄは、装着，取り外しに要する力や作業性を考慮して設定することが好ましい。
【００２６】
即ち、円３の直径ａと、通孔４の直径ｂと、ネジ部の外径ｃと、くびれ部５の寸法ｄの関係は、ｂ＞ｃ＞ａ≧ｄであることが好ましい。
【００２７】
仮止めナットＡは、薄い鋼板からなる円板状の本体１の中心に円３の直径と対応する円を形成した円盤状に形成し、前記円を中心から放射状に切断することで複数の爪２を形成している。爪２は、先端２ａが本体１と同一面に配置されていて良く、或いは先端２ａが一方側の面に突出していても良い。従って、爪２の先端２ａが一方側の面に突出したとき、円３は突出端の径となり、本体１に形成される初期の円の径は円３の径よりも小さくなる。そして本体１、或いは本体１から爪２にかけて通孔４を形成してくびれ部５を形成することで、仮止めナットＡが形成される。
【００２８】
従って、仮止めナットＡを薄くすることが可能であり、且つ製造上の工程が容易となり有利である。
【００２９】
ボルトのネジ部が通孔４に挿通されているとき、このネジ部に対し爪２を係合させるように円３を移動させる場合、或いはネジ部に係合している爪２を離脱させるために通孔４を移動させる場合、本体１に前記目的の移動方向に応じた力を付与することが必要である。この力を付与する方法としては、本体１をこじるようにして通孔４，円３をボルトの軸心を横断させる方法、ペンチに挟んで移動させる方法等があり、何れの方法であっても良い。
【００３０】
本実施例では本体１の外周であって、円３の中心と通孔４の中心を結ぶ線上に操作片６が形成されている。この操作片６は、仮止めナットＡをボルトのネジ部に装着する際に、或いはネジ部から取り外す際に作業員が力を付与するのに便利なように形成されたものであり、形状や寸法を限定するものではない。操作片６が大きければ作業が容易であるが、製造時の歩留りが悪化する虞がある。
【００３１】
本実施例に於いて、本体１は円板状に形成されているが、この形状に限定するものではなく、円形，長方形，正方形、或いは他の多角形であっても良い。また本体１の寸法（面としての寸法）も特に限定するものではなく、目的のボルトを挿通する穴の形状（単なる穴、或いは長穴）に応じて設定することが好ましい。前記穴が単なる穴である場合、本体１の直径は通常の座金の径程度で良く、長穴である場合、長穴の太さよりも充分に大きいことが必要である。
【００３２】
また本実施例では、爪２は完全な形状を有するものが４枚形成され、通孔４が形成されることで不完全な形状を有するものが２枚形成されている。しかし、爪２の数は特に限定するものではなく、少なくとも２枚の爪が対向して設けられていれば、これらの爪によってネジ部と係合してボルトを係止することが可能である。このように、２枚の爪によって仮止めナットを構成した場合、これらの爪の先端部の間の距離が実質的に本実施例に於ける円３の直径と同様に見做されることになる。従って、２枚の爪の先端部の距離は、装着すべきネジ部のネジ山の径よりも小さく、谷部の径よりも大きい寸法を有する。
【００３３】
また本実施例に於いて、爪２は本体１の一方の面側に屈折した状態で形成されているが、この構成に限定するものではなく、爪２と本体１が同一面内に配置されていても良い。
【００３４】
また仮止めナットＡでは操作片６を１個形成したが、図２に示すように対向する位置に夫々操作片６を形成（２個の操作片を形成）しても良い。このように、２個の操作片を形成した仮止めナットＢでは、ボルトに装着する際の操作、ボルトから取り外す際の操作を、仮止めナットＢを本体１の面内方向に移動させるという略同一の動作によって行うことが可能となる。
【００３５】
次に、仮止めナットＡをボルト１０に装着する手順について図３により説明する。ボルト１０は所定位置、例えば後述する建物躯体の取付部材２１に形成された長穴２１ａに挿通されており、ボルト１０の頭部１０ａと取付部材２１との間には板状片１１が配置されている。
【００３６】
仮止めナットＡに形成された通孔４にボルト１０のネジ部１０ｂを挿通する。このとき、通孔４の直径がネジ部１０ｂの外径よりも大きいため、仮止めナットＡはネジ部１０ｂに沿って極めて容易に矢印ａ方向に移動することが可能である。
【００３７】
そして、仮止めナットＡが取付部材２１に到達したとき、同図に示すように、仮止めナットＡを傾斜させて本体１の通孔４とは反対側の端部を取付部材２１に当接させ、この状態で、前記当接位置を支点にして仮止めナットＡを矢印ｂ方向に回動させると、この回動に伴って相対的に円３が上昇し、ネジ部１０ｂが複数の爪２によって形成された円３の内部に入り込み、各爪２がネジ部１０ｂのネジ山と係合してボルト１０を係止する。これにより、ボルト１０は取付部材２１の長穴２１ａに挿通された状態で保持される。
【００３８】
仮止めナットＡの爪２をボルト１０のネジ部１０ｂに係合させる際に、前述したように、仮止めナットＡを回動させても良いが、本体１を取付部材２１に添わせた状態で平行移動させても良い。この場合、図２に示す仮止めナットＢを利用し、円３に対し通孔４と反対側に設けた操作片６を操作して仮止めナットＢを移動させることで可能である。
【００３９】
次に、予め取付部材２１に取り付けられているボルト１０を取り外す際の手順について図４により説明する。通常一度取付部材２１に取り付けたボルト１０を取り外すことはないが、例えば、ボルト１０に他の部材を取り付けるようなときに、取付部材２１に対するボルト１０の取付位置が違ったり、仕様の変更により不要になることは避けることが出来ず、この場合、現場で不要となったボルトを取り外すことが必要である。この例は、このような場合に利用されるものである。
【００４０】
ボルト１０は、頭部１０ａと仮止めナットＡとによって取付部材２１を挟んだ状態を保持している。このとき、仮止めナットＡはボルト１０のネジ部１０ｂに対し点線で示すように、ネジ部１０ｂは円３に位置し、ネジ山に爪２が係合して保持されている。
【００４１】
上記状態で、通孔４側に設けられた操作片６を矢印ｃ方向に押圧すると、仮止めナットＡは同方向に移動し、この移動に伴って通孔４がネジ部１０ｂ側に移動する。この過程で、爪２によるネジ山の係合が解除され、仮止めナットＡによるボルト１０に対する保持状態が解除される。
【００４２】
その後、仮止めナットＡをネジ部１０ｂに沿って矢印ｄ方向に移動させることで、ネジ部１０ｂから離脱させることが可能である。従って、仮止めナットＡを取り外した後、ボルト１０を取付部材２１の長穴２１ａから引き抜くことで取り外すことが可能である。
【００４３】
上記操作に於いて、最初に仮止めナットＡの爪２によるネジ部１０ｂに対する係合を解除することによって、その後の仮止めナットＡのネジ部１０ｂに沿った移動を極めて容易に行うことが可能である。
【００４４】
次に、上記の如く構成された仮止めナットＡを利用したパネル取付構造の例について図５〜図７により説明する。
【００４５】
図５に示すように、Ｈ形鋼からなる梁２２の上部フランジ２２ａにＬ型に形成された取付部材２１が取付られており、これらの梁２２と取付部材２１を含んで建物躯体が構成されている。この取付部材２１は、壁パネル２３の裏面と当接して取付位置を規定するガイドとしての機能と、壁パネル２３を梁２２に固定する機能とを有するものであり、取付片２１ｂを介して上部フランジ２２ａに図示しないボルト，ナットによって固定され、或いは溶接により固定されている。
【００４６】
取付部材２１は長尺状の部材として構成されていても良く、ピース状の部材として構成されていても良い。この取付部材２１の所定位置（建物躯体の所定位置）には、取付穴２１ａが形成されている。この取付穴２１ａは、壁パネル２３を取り付けたとき、この取付位置を調整するためのものであり、この目的を充分に達成し得るように、ボルト１０を縦方向及び横方向に移動し得るような形状を持って形成されている。従って、取付穴２１ａの寸法は特に限定するものではない。本実施例では、取付穴２１ａは、ボルト１０を縦方向に±１０ｍｍ程度、横方向に±５ｍｍ程度移動させることが可能な寸法を持って形成されている。そして取付部材２１を梁２２の上部フランジ２２ａに固定したとき、取付穴２１ａが予め設定された間隔（壁パネル２３に形成した貫通穴２３ａに対向し得る間隔）を持って配置されている。
【００４７】
取付部材２１に形成された取付穴２１ａには夫々ボルト１０が挿通され、屋内側の面に板状片１１を配置すると共に壁パネル２２側に装着された仮止めナットＡ或いは仮止めナットＢ（図では仮止めナットＢを利用している）によって取付位置を保持している。仮止めナットＢはボルト１０に対し、前述した図３の例に従って装着され、これにより、ボルト１０が取付部材２１に保持されている。
【００４８】
ボルト１０のネジ部１０ｂに壁パネル２３の貫通穴２３ａが嵌合され、該壁パネル２３の裏面が取付部材２１に当接した状態で、ネジ部１０ｂにナット１２を締結することで、壁パネル２３が建物躯体を構成する梁２２に固定されている。
【００４９】
壁パネル２３の下端部は、梁２２の下部フランジ２２ｂに固定されている。即ち、取付片２４ａと、壁パネル２３を支持する支持片２４ｂと、取付片２４ａと支持片２４ｂを接続する接続片２４ｃとからなるクランク状に形成された支持金物２４を利用し、この支持金物２４の取付片２４ａを下部フランジ２２ｂに固定し、且つ支持片２４ｂに壁パネル２３の下端部を載置すると共に、接続片２４ｃと壁パネル２３の厚さ方向に貫通させた貫通穴２３ａにボルト１３を挿通し、このボルト１３にナット１４を締結することで固定することが可能である。このような構造は従来より通常に行われているものであるが、他の方法を採用しても良い。
【００５０】
ボルト１０のネジ部１０ｂにナット１２を締結する際に、ボルト１０が共回りする虞がある。このため、板状片１１はボルト１０の共回りを防止し得るように構成されている。
【００５１】
図６に示すように、ボルト１０の頭部１０ａとネジ部１０ｂとの接合部は断面が四角形を持った角根部１０ｃとして形成され、板状片１１には角穴１１ａが形成されている。従って、ボルト１０を板状片１１に挿通したとき、角根部１０ｃは板状片１１の角穴１１ａに対し相対的に回転不能に嵌合する。このため、ボルト１０と板状片１１は、ボルト１０の軸方向には移動可能に形成され、回転方向に一体化して形成される。
【００５２】
ボルト１０と板状片１１を互いに回転不能に嵌合する場合、上記構成に限定するものではなく、ボルト１０の頭部１０ａと板状片１１と溶接して一体化しても良い。また相対的な回転を不能に、軸方向への移動を可能にする場合、角根部１０ｃの形状は四角形に限定されるものではなく、三角形以上の多角形であって良い。この場合板状片１１の角穴１１ａも角根部１０ｃの形状に対応した形状であれば良い。
【００５３】
板状片１１に於ける角穴１１ａは中央から偏心した位置に形成されており、角穴１１ａから近い端部１１ｂまでの距離が取付部材２１の取付穴２１ａの幅方向の寸法に応じて設定され、角穴１１ａから遠方の端部１１ｃまでの距離は該板状片１１が回転したときに建物躯体の何れかの部分と当接し得る寸法（本実施例では取付穴２１ａの下端部から梁２２の上部フランジ２２ａ或いは取付部材２１の取付片２１ｂまでの距離よりも大きい寸法）に設定されている。
【００５４】
従って、取付部材２１の取付穴２１ａに挿通したボルト１０及び板状片１１が回転した場合であっても、板状片１１の端部１１ｃが梁２２の上部フランジ２２ａ或いは取付部材２１の取付片２１ｂに衝突することで回転が阻止され、これにより、ボルト１０の共回りが防止される。
【００５５】
本実施例に係るパネル取付構造を実施する場合、図７（ａ）に示すように、建物躯体を構成する梁２２の上部フランジ２２ａに取付部材２１の取付片２１ｂを固定し、取付穴２１ａに板状片１１と組み合わせたボルト１０を挿通し、ネジ部１０ｂを壁パネル２３を取り付ける面側に突き出させておく。次いで、壁パネル２３を取り付ける面側に突出したボルト１０のネジ部１０ｂに仮止めナットＢの通孔４を嵌合して移動させ、該仮止めナットＢが取付部材２１に到着した後、操作片６を操作してネジ部１０ｂを円３側に移動させることで、ネジ山に爪２を係合させて保持する。
【００５６】
上記手順に於いて、取付部材２１を上部フランジ２２ａに固定した後、ボルト１０を取り付けるか、予め取付部材２１にボルト１０を取り付けておき、この取付部材２１を上部フランジ２２ａに固定するか、は限定するものではなく、何れの工程が先であっても全く問題はない。
【００５７】
次いで、同図（ｂ）に示すように、壁パネル２３の貫通穴２３ａをボルト１０のネジ部１０ｂに嵌合させ、その後、ボルト１２を締結することで、図５に示すように、壁パネル２３を建物躯体を構成する梁２２に取り付けることが可能である。このとき、ナット１２の締結に伴ってボルト１０が共回りしても、板状片１１の端部１１ｃが梁２２の上部フランジ２２ａ、或いは取付部材２１の取付片２１ｂと衝突して回転が阻止されるため、共回りは１回転以内で終了し、その後は良好な締結を行うことが可能である。
【００５８】
上記の如く構成されたパネル取付構造では、取付部材２１の取付穴２１ａに取り付けたボルト１０に仮止めナットＡ或いは仮止めナットＢを装着することによって、取付部材２１を運搬するような場合であっても、ボルト１０が落下することがない。従って、取付部材２１に対するボルト１０の取付作業を工場段階で行うことが可能となり、建築現場に於ける作業の合理化をはかることが可能となる。
【００５９】
特に、壁パネル２３を取り付ける部位が手が入らないような狭い場所であっても、予めボルト１０を配置することが可能であり、且つ配置したボルト１０が落下することがない。このため、建物躯体を構成する梁２２に壁パネル２３を取り付ける作業を容易に且つ確実に行うことが可能である。
【００６０】
また角根部１０ｃを形成したボルト１０と、角根部１０ｃを嵌合する角穴１１ａを設けると共に端部が周囲の部材と衝突し得るように構成した板状片１１とを用いることによって、壁パネル２３を梁２２に取り付ける際にボルト１０にナット１２を締結する場合、ボルト１０の共回りを防止して確実にナット１２を締結することが可能である。
【００６１】
次に、例えばベランダ等の出隅部に配置されるコーナーパネルを柱に取り付ける構造について図８により説明する。尚、本実施例に於いて、前述の実施例と同一の部分及び同一の機能を有する部分には同一の符号を付して説明を省略する。
【００６２】
図に於いて、柱部材３０は、予め設定された長さを有しており、長さ方向の両端部にボルト穴３０ｂを設けたフランジ部材３０ａが固定されている。各フランジ部材３０ａには、夫々ボルト１０を支持する固定金具３１，３２が１本のボルト（図示せず）によって取り付けられている。
【００６３】
固定金具３１は、コーナーパネル３３の裏面３３ａに接触する二つの接触片３１ａと、ボルト１０を支持する支持片３１ｂと、フランジ部材３０ａのボルト穴３０ｂと一致するボルト穴３１ｃとを有して構成されており、柱部材３０の上端に設けたフランジ部材３０ａに固定される。また固定金具３２は、コーナーパネル３３の裏面３３ａと接触する二つの接触片３２ａと、ボルト１０を支持する支持片３２ｂと、フランジ部材３０ａのボルト穴３０ｂと一致するボルト穴３２ｃと、コーナーパネル３３を載置して支持する載置片３２ｄを有して構成されており、柱部材３０の下端に設けたフランジ部材３０ａに固定される。
【００６４】
各固定金具３１，３２を夫々柱部材３０の上下フランジ部材３０ａに固定すると共に、各固定金具３１，３２にボルト１０を回転不能に挿通し、更に、コーナーパネル３３の取付面側に突出したネジ部１０ｂに仮止めナットＢの通孔４を挿通し、該仮止めナットＢが支持片３１ｂ，３２ｂに到着したところで仮止めナットＢを移動させてネジ部１０ｂを円３に移動させる。
【００６５】
上記状態で、ボルト１０は夫々固定金具３１，３２に対し脱落不能に装着される。その後、固定金具３２の載置片３２ｄにコーナーパネル３３を載置すると共に、貫通孔３３ｂにボルト１０を挿通し、ナット１２を締結することで、コーナーパネル３３を固定金具３１，３２を介して柱部材３０に取り付けることが可能である。
【００６６】
上記の如く、柱部材３０に取り付けられた固定金具３１，３２では、該固定金具３１，３２と柱部材３０との間に形成される間隙の寸法が小さい。このため、コーナーパネル３３を取り付ける作業を行う際に、作業員が固定金具３１，３２にボルト１０を挿通することが困難である。また予めボルト１０を固定金具３１，３２に取り付けておいた場合、運搬の間に或いは柱部材３０を建物躯体に取り付ける際にボルトが落下する虞があるが、本実施例のように、仮止めナットＢを装着しておくことで、ボルト１０の固定金具３１，３２に対する装着状態を維持することが可能である。
【００６７】
上記の如くしてコーナーパネル３３を柱部材３０に取り付けたとき、該コーナーパネル３３は裏面３３ａが固定金具３１，３２の接触片３１ａ，３２ａと接触するため、正確な取付位置を確保して固定することが可能である。
【００６８】
【発明の効果】
以上詳細に説明したように本発明に係る仮止めナットでは、ネジ部分を通孔に挿通すると該通孔がボルトの外径よりも大きい径を有するため、仮止めナットをボルトに装着したとき、通孔がボルトのネジ山に干渉することがない。このため、仮止めナットをネジ部に沿って円滑に移動させることが出来る。また所定位置に到達した仮止めナットを本体の面内方向に移動させることで、爪をネジ山に係合させることが出来、該爪によってネジ部を係止することが出来る。またボルトに装着した仮止めナットを取り外す必要があるときは、上記動作を反対に行うことで、容易に確実に取り外すことが出来る。
【００６９】
特に、本体を面内方向に移動させて、爪をネジ山に係合させ、或いは係合している爪を離脱させる際に、本体の外周に設けた操作片に力を加えることで、容易に移動させることが出来る。
【００７０】
また本発明に係るパネル取付構造では、予め建物躯体の所定位置に設けられた穴に、板状片を取り付けたボルトのネジ部を挿通すると共に該ネジ部に上記の如く構成された仮止めナットを装着することで、該ボルトを板状片と共に建物躯体に取り付けておくことが出来る。このため、壁パネルに形成された貫通穴に前記ボルトを嵌合すると共に該壁パネルの表面側からナットを締結することで、壁パネルを建物躯体に取り付けることが出来る。
【００７１】
従って、建物躯体に取り付けられたボルトが落下することがなく、該建物躯体の屋内側の面に手が入らないような場合であっても、確実に壁パネルの貫通穴にボルトを嵌合させて取り付けることが出来る。
【図面の簡単な説明】
【図１】仮止めナットの構成を説明する図である。
【図２】仮止めナットの他の例を説明する図である。
【図３】仮止めナットをボルトに装着する際の手順を説明する図である。
【図４】ボルトに装着されている仮止めナットを取り外す際の手順を説明する図である。
【図５】壁パネルの取付構造を説明する図である。
【図６】回り止めを考慮したボルトを説明する図である。
【図７】建物躯体の板状片に壁パネルを取り付ける際の手順を説明する図である。
【図８】柱にコーナーパネルを取り付ける際の構造を説明する展開図である。
【図９】従来のプッシュナットの構成を説明する図である。
【符号の説明】
Ａ，Ｂ                          仮止めナット
１                              本体
２                              爪
２ａ                            先端
３                              円
４                              通孔
５                              くびれ部
６                              操作片
１０                              ボルト
１０ａ                            頭部
１０ｂ                            ネジ部
１０ｃ                            角根部
１１                              板状片
１１ａ                            角穴
１１ｂ，１１ｃ                      端部
１２，１４                          ナット
１３                              ボルト
２１                              取付部材
２１ａ                            取付穴
２１ｂ                            取付片
２２                              梁
２２ａ                            上部フランジ
２２ｂ                            下部フランジ
２３                              壁パネル
２３ａ                            貫通穴
２４                              支持金物
２４ａ                            取付片
２４ｂ                            支持片
２４ｃ                            接続片
３０                              柱部材
３０ａ                            フランジ部材
３０ｂ                            ボルト穴
３１，３２                          固定金具
３１ａ，３２ａ                      接触片
３１ｂ，３２ｂ                      支持片
３１ｃ，３２ｃ                      ボルト穴
３２ｄ                            載置片
３３                              コーナーパネル
３３ａ                            裏面
３３ｂ                            貫通孔
【図１】
2004278680.tif 000003
【図２】
2004278680.tif 000004
【図３】
2004278680.tif 000005
【図４】
2004278680.tif 000006
【図５】
2004278680.tif 000007
【図６】
2004278680.tif 000008
【図７】
2004278680.tif 000009
【図８】
2004278680.tif 000010
【図９】
2004278680.tif 000011